(57)【要約】【課題】仏壇を置くスペースさえなくなっているコンパクト化した現代の住宅において、従来の行灯や提灯等の仏壇用照明装置を、仏壇の周辺に置いたり吊るすこともできない状況においても設置可能であり、しかも、使用しない場合には、吊り下げ支柱を外すことによりコンパクトに収納することのできる仏壇用照明装置を提供する。【解決手段】  仏壇用照明装置１は、行灯又は提灯として、加輪２０を設けた火袋１０を設置する下台３０に、吊り下げ支柱４０を設けて、吊り下げ支柱４０で下台３０を支承し、吊り下げ支柱上部４１には仏壇３の扉４に掛ける掛け具４３を設けた。【選択図】図１
2017113097.tif 000002
【特許請求の範囲】
【請求項１】
行灯又は提灯として、加輪を設けた火袋を設置する下台に、吊り下げ支柱を設けて、該吊り下げ支柱で下台を支承し、吊り下げ支柱上部には仏壇の扉に掛ける掛け具を設けたことを特徴とする仏壇用照明装置。
【請求項２】
吊り下げ支柱は、下台に着脱自在に螺子留めた請求項１記載の仏壇用照明装置。
【請求項３】
吊り下げ支柱は、下台に立設可能で、下台に対して下端からの突出螺子が上下に貫通し、該突出螺子の下台下方への突出部分には蝶ナットを螺合する請求項１又は請求項２記載の仏壇用照明装置。
【請求項４】
吊り下げ支柱上部は、膨らみを持たせ、その先を孔を穿設した薄肉片として形成した請求項１乃至請求項３記載の仏壇用照明装置。
【請求項５】
留め具は、掛け具を吊り下げ支柱に着脱自在に留める請求項１乃至請求項４記載の仏壇用照明装置。
【請求項６】
掛け具は、断面の形状が円形又は矩形である請求項１乃至請求項５記載の仏壇用照明装置。
【請求項７】
掛け具は、水平板である請求項１乃至請求項５記載の仏壇用照明装置。
【請求項８】
掛け具は、滑り止めで覆った請求項１乃至請求項７記載の仏壇用照明装置。
【請求項９】
下台は、前方が半円形の蒲鉾断面形状である請求項１乃至請求項８記載の仏壇用照明装置。
【請求項１０】
下台は、下面に脚を設けた請求項１乃至請求項９記載の仏壇用照明装置。
【発明の詳細な説明】
【技術分野】
【０００１】
本発明は、仏壇の扉に掛ける行灯や提灯等の仏壇用照明装置に関するものである。
【背景技術】
【０００２】
仏壇に供える灯りである行灯や提灯等の仏壇用照明装置は、亡くなった方の魂が、日々明るく心地よく過ごすため、また、お彼岸やお盆に迷わずそれぞれの家に戻れるようにと、遺族の思いを込めて灯すものである。
【０００３】
従来の仏壇７０は、図１２、図１３のとおり、大型のタイプが主流であり、それに合わせた照明装置は、荘厳な装飾性を有し、天井や吊り下げポール７５等に吊り下げるタイプの照明装置（吊り下げ行灯７１、吊り下げ提灯７２）、床スペースに置くタイプの照明装置（置き行灯７３、置き提灯７４）等を複数設置するため、大掛かりな装置と広いスペースが必要であった。
【０００４】
一方、近年の住宅は戸建のみならず集合住宅であるマンション等も多くなり、それに伴い居住スペースがコンパクト化しているため、仏壇を置くスペースに制限がある。
【０００５】
そこで、図１４のとおり、サイドボードやローボード等の上に置くことのできる小型の仏壇３も考案されたが、この場合も、仏壇３の前に供物台などのテーブル７６等を設置して、その上に置き提灯７４等を置かなければならない。そのため、スペースの狭く、テーブル７６等を設置できない住宅では、行灯や提灯を置くことができない。
【０００６】
ここで、下記特許文献１の発明は、提灯掛けに掛けられた提灯の配置を自由に変更できる仏壇を開示する。この発明は、仏壇から引き出し自在に提灯掛けを取り付けるとともに、提灯掛けの向きを変えて、提灯に掛ける提灯の配置を適宜変更できる仏壇である。
【０００７】
具体的には、図１５、図１６のとおり、提灯掛け８１が、仏壇８０の天板下の支輪部分の正面側に設けられた挿入孔８７に対して、仏壇８０の前後方向に引き出し自在に挿入されており、当該挿入孔８７は、正面側の孔の縁が外方向に向かって、挿入空間側の孔の縁が内方向に向かって、それぞれ切り欠かれていることで、提灯掛け８１を、仏壇８０から引き出した状態で、仏壇８０の外方向に向けることができることを特徴とする提灯掛け８１を備えた仏壇８０である。
【０００８】
この発明により、従来の仏壇８０の周囲に設置する提灯８２や行燈を、仏壇８０の上部の提灯掛け８１に掛けて設置することができ、提灯８２や行燈用の床面のスペースを必要とすることがないため、狭い住宅にも、仏壇８０用の提灯８２等の灯りを灯すことができる。
【先行技術文献】
【特許文献】
【０００９】
【特許文献１】特開２０１５−１１２３０９号公報（提灯掛けを備えた仏壇）
【発明の概要】
【発明が解決しようとする課題】
【００１０】
しかし、特許文献１の発明に係る提灯８２は、本発明に係る提灯８２を掛ける専用の挿入孔８７や、凸状の突起（ストッパー）８６、段階的方向調節部材８８が設けられた仏壇を購入しなければ、提灯８２や行燈を仏壇８０の上部の提灯掛け８１に掛けて設置することができず、一般の仏壇では掛けることができない、という問題があった。
【００１１】
さらに、扉を設けた仏壇の場合は、扉の開閉時に提灯等がぶつかる、という問題もある。
【００１２】
本発明の目的は、前記従来例の不都合を解消し、現代の住宅にマッチした省スペースでデザイン性もマッチした、仏壇用照明装置を提供することにある。
【課題を解決するための手段】
【００１３】
前記目的を達成するため請求項１記載の本発明は、仏壇用照明装置は、行灯又は提灯として、加輪を設けた火袋を設置する下台に、吊り下げ支柱を設けて、該吊り下げ支柱で下台を支承し、吊り下げ支柱上部には仏壇の扉に掛ける掛け具を設けたことを要旨とするものである。
【００１４】
請求項１記載の本発明によれば、下台の上に吊り下げ支柱と加輪を設けた火袋を設置し、吊り下げ支柱の上部に掛け具を設けた、限りなく少ない構成により、軽量化した仏壇用照明装置とできるため、仏壇の扉に負担なく掛けて設置することができる。
【００１５】
また、本発明の仏壇用照明装置は、仏壇の扉に掛けるだけで装着することができるため、仏壇の扉を閉じる場合や、該仏壇用照明装置を使用しない場合も簡単に外すことができる。
【００１６】
請求項２記載の本発明は、吊り下げ支柱は、下台に着脱自在に螺子留めたことを要旨とするものである。
【００１７】
請求項２記載の本発明によれば、本発明の仏壇用照明装置を使用しない場合や、置きタイプとして使用する場合は、螺子を外すことにより、下台から吊り下げ支柱を外すことができるため、コンパクトに設置・収納することができる。
【００１８】
請求項３記載の本発明は、吊り下げ支柱は、下台に立設可能で、下台に対して下端からの突出螺子が上下に貫通し、該突出螺子の下台下方への突出部分には蝶ナットを螺合することを要旨とするものである。
【００１９】
請求項３記載の本発明によれば、下台と吊り下げ支柱の着脱は、手で蝶ナットを回して簡単に行うことができるため、ペンチ等の道具は不要となり利便性が高い。
【００２０】
請求項４記載の本発明は、吊り下げ支柱上部は、膨らみを持たせ、その先を孔を穿設した薄肉片として形成したことを要旨とするものである。
【００２１】
請求項４記載の本発明によれば、吊り下げ支柱の形状を工夫することで下台を安定して支えることができる。
【００２２】
請求項５記載の本発明は、留め具は、掛け具を吊り下げ支柱に着脱自在に留めることを要旨とするものである。
【００２３】
請求項５記載の本発明によれば、掛け具と吊り下げ支柱とを分解することができるため、仏壇や、扉の形状に合わせて掛け具を交換して使用することができる。また、本発明の仏壇用照明装置を、扉に掛けない場合も床やテーブル等にコンパクトに設置でき、さらに、使用しない場合にも、コンパクトに収納できる。
【００２４】
請求項６記載の本発明は、掛け具は、断面の形状が円形又は矩形であることを要旨とするものである。
【００２５】
請求項６記載の本発明によれば、掛け具の断面形状を円形にすることにより、仏壇の扉に接する面積が小さいため、扉へのあたりを小さくできる。また、該形状を矩形にすることにより、滑りを最小限にして安定して安全な状態で本発明の仏壇用照明装置を仏壇の扉に掛けることができる。
【００２６】
また、下台に対して吊り下げ支柱を安定的に設置することができる。
【００２７】
請求項７記載の本発明は、掛け具は、水平板であることを要旨とするものである。
【００２８】
請求項７記載の本発明によれば、掛け具が水平板であるため、本発明の仏壇用照明装置を仏壇の扉に掛けたまま、扉を閉めることも可能となるため、該仏壇用照明装置の掛け外しが不要となり、該仏壇用照明装置を保管する場所も不要となる。
【００２９】
請求項８記載の本発明は、掛け具は、滑り止めで覆ったことを要旨とするものである。
【００３０】
請求項８記載の本発明によれば、掛け具をシリコンゴム等の滑り止めで覆うことにより、本発明の仏壇用照明装置が揺れたり滑り落ちたり等の不安定な状態を回避して、安定して安全な状態で該仏壇用照明装置を仏壇の扉に掛けることができる。
【００３１】
また、このシリコンゴム等の滑り止めは、掛け具と仏壇の扉との間のクッションとなり、扉の傷防止としての役割も果たす。
【００３２】
請求項９記載の本発明は、下台は、前方が半円形の蒲鉾断面形状であるであることを要旨とするものである。
【００３３】
請求項９記載の本発明によれば、円形の行灯又は提灯を置いた時に大きく下台がはみ出さないですみ、体裁がよい。
【００３４】
請求項１０記載の本発明は、下台は、下面に脚を設けたことを要旨とするものである。
【００３５】
請求項１０記載の本発明によれば、本発明の仏壇用照明装置を吊り下げない場合にも、床やテーブル等に安定性高く設置することができる。
【発明の効果】
【００３６】
以上述べたように本発明は、仏壇を置くスペースさえなくなっているコンパクト化した現代の住宅において、従来の行灯や提灯等の仏壇用照明装置を、仏壇の周辺に置いたり吊るすこともできない状況においても設置可能であり、しかも、使用しない場合には、吊り下げ支柱及び掛け具を外すことによりコンパクトに収納することのできる仏壇用照明装置を提供することができる。
【図面の簡単な説明】
【００３７】
【図１】本発明の仏壇用照明装置の１実施例を示す行灯の側面図である。
【図２】本発明の仏壇用照明装置の１実施例を示す行灯の正面図である。
【図３】本発明の仏壇用照明装置の１実施例を示す行灯の平面図である。
【図４】本発明の仏壇用照明装置の１実施例を示す行灯の加輪の平面図である。
【図５】本発明の仏壇用照明装置の１実施例を示す行灯の加輪のＡ−Ａ’断面図である。
【図６】本発明の仏壇用照明装置の１実施例を示す行灯の下台の平面図である。
【図７】本発明の仏壇用照明装置の１実施例を示す行灯の下台の正面図である。
【図８】本発明の仏壇用照明装置の１実施例を示す行灯の下台の底面図である。
【図９】本発明の仏壇用照明装置の１実施例を示す行灯の吊り下げ支柱の側面図である。
【図１０】本発明の仏壇用照明装置の１実施例を示す行灯の吊り下げ支柱の正面図である。
【図１１】本発明の仏壇用照明装置の１実施例を示す行灯を設置した仏壇の説明写真である。
【図１２】従来例の行灯や提灯等の照明装置を仏壇に設置した状態を示す説明写真である。
【図１３】従来例の行灯や提灯等の照明装置を仏壇に設置した状態を示す説明イラストである。
【図１４】従来例の提灯を備えた小型の仏壇を示す説明写真である。
【図１５】従来例の提灯掛けを備えた仏壇を示す斜視図である。
【図１６】従来例の提灯掛けを備えた仏壇を示す内部説明図である。
【発明を実施するための形態】
【００３８】
以下本発明を実施するための形態について説明するが、本発明はこれに限定されたものでないことは、言うまでもない。
【００３９】
本発明の記載において、「照明装置」とは、行灯、提灯等の灯りを灯す装置をいう。
【００４０】
本発明の記載において「行灯」とは、枠に紙・布等を貼り，ローソク等の灯りを灯す照明装置をいう。
【００４１】
本発明の記載において「提灯」とは、細い割り竹等の輪を重ねて骨とし，紙や布等を貼って、中にローソク等の灯りを灯す折り畳み自在の照明装置をいう。
【００４２】
以下図面について本発明の仏壇用照明装置の実施の形態を詳細に説明する。
【００４３】
図１は本発明の仏壇用照明装置の１実施例を示す行灯の側面図、図２は本発明の仏壇用照明装置の１実施例を示す行灯の正面図、図３は本発明の仏壇用照明装置の１実施例を示す行灯の平面図である。
【００４４】
本発明の仏壇用照明装置１の構成は、火袋１０、加輪２０、下台３０、吊り下げ支柱４０からなり、加輪２０を設けた火袋１０を設置する下台３０に、吊り下げ支柱４０を設けて、吊り下げ支柱４０で下台３０を支承し、吊り下げ支柱上部４１には仏壇３の扉４に掛ける掛け具４３を設けた。
【００４５】
本発明の実施例の行灯２は、上下部に加輪２０を設けた火袋１０を設け、火袋１０は下台３０に載置し、下台３０下面には複数の脚３１を設け、下台３０上面の火袋１０の内部に電気ローソク１１を載置し、下台３０に吊り下げ支柱４０を設け、吊り下げ支柱４０の上部４１に火袋１０側とその反対側に貫通する孔４５を設け、孔４５には火袋１０側から留め具４２を通し、吊り下げ支柱４０をはさんだ反対側から、仏壇用照明装置１を仏壇３の扉４に掛ける掛け具４３を通して、留め具４２で螺子留め、吊り下げ支柱下部４６の端部には突出螺子４７を設け下台３０を貫通して、蝶ナット４８で留めた。
【００４６】
次に、火袋１０及び加輪２０の構成を図に従って説明する。図４は本発明の仏壇用照明装置の１実施例を示す行灯の加輪の平面図、図５は本発明の仏壇用照明装置の１実施例を示す行灯の加輪のＡ−Ａ’断面図である。
【００４７】
本発明の加輪２０は、図５の加輪の断面図のとおり、火袋１０をはさみ込み固定するための火袋挿入部２１を設ける。火袋１０は、加輪２０の内壁２２に接着して固定してもよく、この場合、火袋挿入部２１を設けなくてもよい。
【００４８】
火袋１０は、絹・紙・樹脂等の軽量の素材であればよく、特に限定はない。
【００４９】
本実施例においては、加輪２０は火袋１０の上下に設けたが、火袋１０の素材が加工した紙や樹脂シートのような、自立する張りのある材質の場合は、火袋１０の下部のみに設けてもよい。
【００５０】
次に、下台３０の構成を図に従って説明する。図６は本発明の仏壇用照明装置の１実施例を示す行灯の下台の平面図、図７は本発明の仏壇用照明装置の１実施例を示す行灯の下台の正面図、図８は本発明の仏壇用照明装置の１実施例を示す行灯の下台の底面図である。
【００５１】
本発明の実施例の下台３０の構成は、脚３１、電気ローソク留め孔３２、コード孔３３、吊り下げ支柱留め孔３４からなる。
【００５２】
本発明の実施例の下台３０は、前方が半円形な蒲鉾断面形状であるが、下台の形状は、仏壇用照明装置１を、安定的に仏壇３の扉４に掛ける形状であれば、特に限定はない。
【００５３】
本発明の実施例では、下台３０の下面に複数の脚３１を設けたが、脚の形状及び設置個数は、仏壇用照明装置１を、床等に置いて使用する場合に、安定性を持たせることのできる形状及び個数であればよく、特に限定はない。また、脚を設けなくてもよい。
【００５４】
下台３０の上面に設ける電気ローソク１１を固定するための電気ローソク留め孔３２、そのコードを外部に出すためのコード孔３３、及び、吊り下げ支柱４０を留め付けるための吊り下げ支柱留め孔３４を設けた。本発明の実施例では、電気ローソク１１を着脱自在に固定するため、電気ローソク留め具１２を用いたが、接着してもよい。
【００５５】
電気ローソク１１としては、電気式（コンセント式）と電池式（コードレス）の双方とも装着することができる。電池式（コードレス）の場合、コード孔３３からは、電気ローソク１１のスイッチであるコードを垂らすことができる。
【００５６】
次に、吊り下げ支柱４０の構成を図に従って説明する。図９は本発明の仏壇用照明装置の１実施例を示す行灯の吊り下げ支柱の側面図、図１０は本発明の仏壇用照明装置の１実施例を示す行灯の吊り下げ支柱の正面図である。
【００５７】
本発明の吊り下げ支柱４０の構成は、吊り下げ支柱上部４１、留め具４２、掛け具４３、滑り止め４４、孔４５、吊り下げ支柱下部４６、突出螺子４７、蝶ナット４８、薄肉片４９からなる。
【００５８】
本発明の吊り下げ支柱４０は、下台３０に立設可能で、下台３０に対して下端からの突出螺子４７が上下に貫通し、突出螺子４７の下台３０下方への突出部分には蝶ナット４８を螺合して、下台３０に着脱自在とした。
【００５９】
さらに、本発明の実施例の吊り下げ支柱上部４１は、膨らみを持たせ、その先を孔４５を穿設した薄肉片４９として形成した。
【００６０】
吊り下げ支柱４０を下台３０から外す必要のない場合は、吊り下げ支柱下部４６を下台３０に接着剤や釘、螺子等で固定することもできる。
【００６１】
仏壇用照明装置１を仏壇３の扉４に掛けるための手段として、吊り下げ支柱４０と、掛け具４３を設けた。
【００６２】
仏壇用照明装置１を仏壇３の扉４に掛ける掛け具４３は、吊り下げ支柱４０の上部４１に火袋１０側とその反対側に貫通する孔４５を設け、孔４５には火袋１０側から留め具４２を通し、吊り下げ支柱４０をはさんだ反対側から、仏壇用照明装置１を仏壇３の扉４に掛ける掛け具４３を通して、留め具４２で螺子留めした。
【００６３】
掛け具４３としては、断面を円形又は矩形としたり、水平板とすることもでき、Ｌ字フックとしてもよい。
【００６４】
掛け具４３には、滑り止め及び扉の傷防止として、滑り止め４４のシリコンゴム等を被せた。
【００６５】
滑り止め４４の材質は、特に限定はなく、仏壇用照明装置１が仏壇３の扉４から滑り落ちないものであればよい。
【００６６】
留め具４２は、掛け具４３を吊り下げ支柱４０に着脱自在に螺子留めした。
【００６７】
図１１のとおり、仏壇用照明装置１である行灯２を、仏壇３の扉４に吊り下げて設置した状態を示す。
【００６８】
次に、本発明の仏壇３の扉４に掛ける仏壇用照明装置１の使用法及び効果について説明する。
【００６９】
上下部に加輪２０を設けた火袋１０を設け、火袋１０は下台３０に載置し、下台３０下面には複数の脚３１を設け、下台３０上面の火袋１０の内部に電気ローソク１１を載置し、下台３０の端部に吊り下げ支柱４０を設け、吊り下げ支柱４０の上部４１に火袋１０側とその反対側に貫通する孔４５を設け、孔４５には火袋１０側から留め具４２を通し、吊り下げ支柱４０をはさんだ反対側から、仏壇用照明装置１を仏壇３の扉４に掛ける掛け具４３を通して、留め具４２で螺子留め、吊り下げ支柱下部４６の端部には突出螺子４７を設け、下台３０を貫通して、蝶ナット４８で留める。
【００７０】
本構成による仏壇用照明装置１は、下台３０の上に吊り下げ支柱４０と内部に電気ローソク１１を設けた火袋１０を設置し、吊り下げ支柱４０の上部に掛け具４３を設けた、限りなく少ない構成により、軽量化した仏壇用照明装置１とできるため、仏壇３の扉４に負担なく掛けることが可能となる。
【００７１】
また、仏壇用照明装置１は、仏壇３の扉４に掛けるだけで装着することができるため、扉４を閉じる場合や、仏壇用照明装置１を使用しない場合も簡単に外すことができる。
【００７２】
さらに、本実施例の吊り下げ支柱下部４６の端部には突出螺子４７を設け、下台３０を貫通して、蝶ナット４８で留めたことにより、仏壇用照明装置１を、仏壇３の扉４に掛けず置きタイプとして使用する場合や、使用しない場合は、吊り下げ支柱下部４６の端部の突出螺子４７から蝶ナット４８を外すことにより、下台３０から吊り下げ支柱４０を外すことができるため、コンパクトに設置・収納することができる。
【００７３】
この場合、下台３０と吊り下げ支柱４０の着脱は、手で蝶ナット４８を回して簡単に行うことができるため、ペンチ等の道具は不要となり利便性が高い。
【００７４】
また、本実施例の掛け具４３は、吊り下げ支柱４０と留め具４２で固定してあり、留め具４２を外して分解することができるため、仏壇３や扉４の形状に合わせて掛け具４３を交換して使用することができる。このため、仏壇用照明装置１を、仏壇３の扉４に掛けず床やテーブル等に設置する場合も、使用しない場合にも、掛け具４３が突出せず、コンパクトに設置・収納できる。
【００７５】
吊り下げ支柱４０の形状を工夫し、吊り下げ支柱上部４１に膨らみを持たせ、その先を孔４５を穿設した薄肉片４９として形成することで、仏壇３の扉４に接する下台３０の端部と掛け具４３とのバランスをとり、仏壇３の扉４に仏壇用照明装置１を安定的に設置することができる。
【００７６】
また、仏壇３の扉４に装飾等の突出部がある場合も、吊り下げ支柱上部４１に膨らみを持たせ、その下の部分が上部に比してそげた形状であることにより、装飾等の突出部を回避して、安定性を持って仏壇用照明装置１を仏壇３の扉４に掛けることができる。
【００７７】
掛け具４３の断面形状は、本実施例のように円形にすることにより、仏壇３の扉４に接する面積が小さいため、扉４へのあたりを小さくでき、傷等の問題がない。また、掛け具４３の断面形状を矩形にすることにより、滑りを最小限にして安定して安全な状態で仏壇用照明装置１を仏壇３の扉４に掛けることができる。
【００７８】
更に掛け具４３の断面を薄い形状にすることにより、仏壇用照明装置１を仏壇３の扉４に掛けたまま、扉４を閉めることも可能となるため、仏壇用照明装置１の掛け外しが不要となり、仏壇用照明装置１を保管場所も不要となる。
【００７９】
また、掛け具４３を水平板にすることにより、仏壇用照明装置１を仏壇３の扉４に掛けたまま、扉４を閉めることも可能となるため、仏壇用照明装置１の掛け外しが不要となり、仏壇用照明装置１を保管する場所も不要となる。
【００８０】
掛け具４３をシリコンゴム等の滑り止め４４で覆うことにより、仏壇用照明装置１が揺れたり滑り落ちたり等の不安定な状態を回避して、安定して安全な状態で仏壇用照明装置１を仏壇３の扉４に掛けることができ、さらに、掛け具４３と仏壇３の扉４との間のクッションとなり、扉の傷防止としての役割も果たす。
【００８１】
下台３０の形状を、前方が半円形の蒲鉾断面形状とすることにより、前方の角がなくなり、円形の行灯又は提灯を置いた時に大きく下台３０がはみ出さないですみ、体裁がよく設置できる。
【００８２】
また、下台３０の下面に複数の脚３１を設置することにより、床やテーブル等の上に置いた状態で使用する場合に、電気ローソク留め具１２や、コード１３をまたぎ、不安定な状態を回避して安定性高く設置することができる。
【００８３】
火袋１０を軽量な素材である絹・紙・樹脂で構成することにより仏壇３の扉４に負担なく、装飾効果の高い仏壇用照明装置１を設置することができる。
【００８４】
本実施例において、火袋挿入部２１に火袋１０を差し込み、火袋１０を固定する構成をとるが、加輪２０の内壁２２に接着して固定してもよい。この場合、火袋挿入部２１を設けなくてもよい。
【００８５】
電気ローソク１１として、電気式（コンセント式）と電池式（コードレス）の双方とも装着することができるため、電源が確保できる場所でも、電源が確保できないスペースでも仏壇用照明装置１を設置できる。
【００８６】
図１１のとおり、仏壇用照明装置１として行灯や提灯の形状とすることにより、仏壇装飾としてマッチした仏壇用照明装置とすることができる。
【産業上の利用可能性】
【００８７】
本発明により、仏壇を置くスペースさえなくなっているコンパクト化した現代の住宅において、従来の行灯や提灯等の仏壇用照明装置を、仏壇の周辺に置いたり吊るすこともできない状況においても設置可能であり、しかも、使用しない場合には、吊り下げ支柱を外すことによりコンパクトに収納することのできる仏壇用照明装置を提供することができる。
【符号の説明】
【００８８】
１    仏壇用照明装置
２    行灯
３    仏壇
４    仏壇の扉
１０  火袋
１１  電気ローソク
１２  電気ローソク留め具
１３  コード
２０  加輪
２１  火袋挿入部
２２  内壁
３０  下台
３１  脚
３２  電気ローソク留め孔
３３  コード孔
３４  吊り下げ支柱留め孔
４０  吊り下げ支柱
４１  吊り下げ支柱上部
４２  留め具
４３  掛け具
４４  滑り止め
４５  孔
４６  吊り下げ支柱下部
４７  突出螺子
４８  蝶ナット
４９  薄肉片
７０  仏壇
７１  吊り下げ行灯
７２  吊り下げ提灯
７３  置き行灯
７４  置き提灯
７５  吊り下げポール
７６  テーブル
８０  仏壇
８１  提灯掛け
８２  提灯
８３  装飾版
８６  凸状の突起（ストッパー）
８７  挿入口
８８  段階的方向調節部材
【図１】
2017113097.tif 000003
【図２】
2017113097.tif 000004
【図３】
2017113097.tif 000005
【図４】
2017113097.tif 000006
【図５】
2017113097.tif 000007
【図６】
2017113097.tif 000008
【図７】
2017113097.tif 000009
【図８】
2017113097.tif 000010
【図９】
2017113097.tif 000011
【図１０】
2017113097.tif 000012
【図１１】
2017113097.tif 000013
【図１２】
2017113097.tif 000014
【図１３】
2017113097.tif 000015
【図１４】
2017113097.tif 000016
【図１５】
2017113097.tif 000017
【図１６】
2017113097.tif 000018